(57)【要約】      （修正有）【課題】搬送コストがボトル用販売促進具を装着しないボトルと同等にすることができるとともに、店頭での載置スペースがボトル用販売促進具を装着しないボトルと同等の載置スペースで行うことができるボトル用販売促進具を提供する。【解決手段】ボトル用販売促進具１０は、可撓性または弾性を有するシート体１２により構成されている。シート体１２の下端にはボトルＢの首部Ｂａの口に装着されたキャップ及び首部Ｂａに対して嵌合して装着される嵌合部１８を備える。シート体１２の表面１２ａ及び裏面のうち少なくともいずれか一方の面を広告記録またはキャラクタが記述される面としている。【選択図】図１
0003186442.tif 000002
【実用新案登録請求の範囲】
【請求項１】
可撓性または弾性を有するシート体により構成され、
前記シート体の下端には、ボトルの首部の口に装着されたキャップ及び前記首部に対して嵌合して装着される嵌合部が形成され、
前記シート体は、前記嵌合部よりも上位の部位にて折れ曲がり可能に形成され、
前記シート体の表面及び裏面のうち少なくともいずれか一方の面が、広告記録またはキャラクタが記述される面としているボトル用販売促進具。
【請求項２】
前記嵌合部が、前記キャップを覆うように筒状に形成されている請求項１に記載のボトル用販売促進具。
【請求項３】
前記シート体は、分離部と残留部が脆弱部を介して上下に配置され、前記脆弱部が前記嵌合部の前記キャップ及び前記ボトルの首部と嵌合する方向とは直交する方向に形成されており、
前記脆弱部は、前記ボトルの首部から前記キャップが外される際に、破断可能に形成される請求項１または請求項２に記載のボトル用販売促進具。
【請求項４】
前記シート体の少なくとも一方の面にキャラクタが記述されている場合は、前記シート体の周縁部は前記キャラクタの外形形状に合わせて形成されている請求項１乃至請求項３のうちいずれか１項に記載のボトル用販売促進具。
【請求項５】
前記シート体が、シュリンクフィルムにより形成されている請求項１乃至請求項４のうちいずれか１項に記載のボトル用販売促進具。
【考案の詳細な説明】
【技術分野】
【０００１】
本考案は、ボトルに付けられるボトル用販売促進具に関する。
【背景技術】
【０００２】
従来、販売店に置かれているボトルに、販促のためにポップ広告を付したり、或いはキャラクタを印刷したボトル用販売促進具を外装することがある。これらのボトル用販売促進具は、ボトルの首部に対して吊り下げするタイプのものや、ボトルの首部を含むボトル上部から上方に突出して取り付けるタイプのものがある。
【考案の概要】
【考案が解決しようとする課題】
【０００３】
ところで、ボトルの種類によっては、首部の下方にあるボトル本体の径が、首部よりも極端に大きくなっているものがある。この場合、ボトルの首部に吊り下げするタイプのボトル用販売促進具では、首部に繋がるボトル本体の肩部の径が大きくなるため、吊り下げした部材が前記肩部に載って側方に大きく飛び出すことになる。このため、ボトルを店頭で載置する場合、ボトルの載置スペースが広くなりすぎる問題がある。
【０００４】
また、ボトルの首部を含むボトル上部から上方に突出して取り付けるボトル用販売促進具では、ボトルとボトル用販売促進具を合わせた高さが高くなる。この場合、ボトル用販売促進具を装着した状態でボトルを流通させる場合、ボトル用販売促進具を装着しないボトルに比して、１度に搬送できる量が少なくなり、搬送コストが高くなる問題がある。
【０００５】
本考案の目的は、搬送コストがボトル用販売促進具を装着しないボトルと同等にすることができるとともに、店頭での載置スペースがボトル用販売促進具を装着しないボトルと同等の載置スペースで行うことができるボトル用販売促進具を提供することにある。
【課題を解決するための手段】
【０００６】
上記問題点を解決するために、本考案は、可撓性または弾性を有するシート体により構成され、前記シート体の下端には、ボトルの首部の口に装着されたキャップ及び前記首部に対して嵌合して装着される嵌合部が形成され、前記シート体は、前記嵌合部よりも上位の部位にて折れ曲がり可能に形成され、前記シート体の表面及び裏面のうち少なくともいずれか一方の面が、広告記録またはキャラクタが記述される面としているボトル用販売促進具を要旨としている。
【０００７】
また、前記嵌合部が、前記キャップを覆うように筒状に形成されていることが好ましい。
また、前記シート体は、分離部と残留部が脆弱部を介して上下に配置され、前記脆弱部が前記嵌合部の前記キャップ及び前記ボトルの首部と嵌合する方向とは直交する方向に形成されており、前記脆弱部は、前記ボトルの首部から前記キャップが外される際に、破断可能に形成されるものが好ましい。
【０００８】
また、前記シート体は、前記嵌合部よりも上位の部位にて折れ曲がり可能に形成されていることが好ましい。
また、前記シート体の少なくとも一方の面にキャラクタが記述されている場合は、前記シート体の周縁部は前記キャラクタの外形形状に合わせて形成されていることが好ましい。
【０００９】
また、前記シート体が、シュリンクフィルムにより形成されていることが好ましい。
【考案の効果】
【００１０】
本考案によれば、搬送コストがボトル用販売促進具を装着しないボトルと同等にすることができるとともに、店頭での載置スペースがボトル用販売促進具を装着しないボトルと同等の載置スペースで行うことができる。
【図面の簡単な説明】
【００１１】
【図１】（ａ）は一実施形態のボトル用販売促進具をボトルに取着した状態の斜視図、（ｂ）はボトル用販売促進具をボトルの取付けする前の状態の斜視図。
【図２】ボトル用販売促進具をボトルから取り外した状態の斜視図。
【図３】ボトル用販売促進具の展開図。
【図４】他の実施形態のボトル用販売促進具をボトルの取着した状態の斜視図。
【考案を実施するための形態】
【００１２】
（第１実施形態）
以下、本考案を具体化した第１実施形態のボトル用販売促進具（以下、単に促進具という）を図１〜図３を参照して説明する。
【００１３】
図１（ａ）に示すように、促進具１０は、合成樹脂フィルムからなるシート体１２から形成されている。
図３に示すようにシート体１２は、前記合成樹脂フィルムからなる長方形のシート１４の各コーナー１６ａ〜１６ｄ及びその長手方向の中央部を含む領域１６ｅに接着剤を塗布した状態で、前記中央部において折り畳みすることにより形成されている。図３において、前記接着剤が塗布される領域はハッチングで示されている。
【００１４】
前記合成樹脂フィルムは可撓性または弾性を有することが好ましい。前記合成樹脂は、限定するものではないが、本実施形態では、前記シュリンクフィルムが採用されている。特に、本実施形態では、シート体１２は前記長手方向とは直交する幅方向に収縮する横一軸延伸のシュリンクフィルムから形成されている。なお、シート体１２は、縦横の両方向に収縮する二軸延伸のフィルムで形成されていてもよい。
【００１５】
上記のように、シート１４が折り畳まれて各コーナー１６ａ〜１６ｄが相対する他のコーナー同士が接着されることにより、シート体１２の下端には、ボトルＢのキャップＣを覆うように嵌合部１８が筒状に形成されている。また、シート体１２の嵌合部１８の大きさは、装着するボトルＢのキャップＣを外嵌するに十分な大きさで設定されている。また、シート体１２は、可撓性または弾性を有する合成樹脂フィルムにて形成されているため、前記キャップＣの大きさに応じて変形可能である。
【００１６】
また、シート体１２において、高さの略中央部には、幅方向に延びる脆弱部２０が形成されている。本実施形態では、脆弱部２０はミシン目により構成されている。脆弱部２０が延びる幅方向は、嵌合部１８のキャップＣ及びボトルＢの首部Ｂａと嵌合する方向とは直交する方向である。脆弱部２０を境にして、シート体１２においては、上部が分離部２２とされ、下部が残留部２４とされている。なお、図１（ａ）では、分離部２２と残留部２４のそれぞれの上下高さは、略同じとしているが、分離部２２の高さを残留部２４よりも高くしてもよい。
【００１７】
図１（ａ）に示すシート体１２の表面１２ａ及び裏面１２ｂの少なくともいずれか一方の面には、図示はしないが販促用のキャッチコピー等の文言、記号等の広告記録、或いはキャラクタが印刷されている。
【００１８】
（実施形態の作用）
上記のように構成された促進具１０は、図１（ｂ）に示すように、首部Ｂａの口をキャップＣで閉塞しているボトルＢに対して、嵌合部１８をキャップＣ及びキャップＣ下方の首部Ｂａに対して嵌合する。
【００１９】
促進具１０の嵌合位置としては、脆弱部２０がキャップＣの直下に位置するように配置することが好ましい。この後、嵌合部１８を加熱して、嵌合部１８の部位を収縮させて、促進具１０をボトルＢに対して取り外し不能に取り付けする。促進具１０の取り付けにおいて、ボトルＢまたはボトルＢが収納する収納物に対する加熱が好ましくない場合は、促進具１０をボトルＢに対して接着剤により接着してもよい。この場合、ボトルＢに対する接着剤の塗布は、ボトルからキャップＣの取り外しに悪影響がない部位、例えば、首部ＢａにおけるキャップＣの下方の部位に対して行うものとする。
【００２０】
図１（ａ）に示すように促進具１０がボトルＢに取り付けられた状態では、促進具１０は、ボトルＢの首部Ｂａを含むボトル上部から上方に突出して配置される。従って、吊り下げタイプの促進具とは異なり、ボトルの肩部に促進具１０が当たることはなく、ボトルＢの側方へ大きく突出することはない。
【００２１】
この状態で、例えば、ボトルの運搬時に分離部２２が下方に向かって押さえられた際、分離部２２が弾性を有する場合は、その弾性に抗して嵌合部１８よりも上方に位置する上位の部位が折り曲げられる。しかし、押さえるものがなくなれば、分離部２２は前記弾性により元の状態に復帰する。また、例えば、ボトルの運搬時に分離部２２が下方に向かって押さえられた場合、分離部２２が可撓性を有する場合は、分離部２２は折り曲げられる。しかし、押さえるものが除去された場合は、作業者が手等により分離部２２を元の状態に復帰させればよい。
【００２２】
促進具１０が装着されたボトルＢを店頭に配置すると、促進具１０には、販促用のキャッチコピー等の文言、或いは、キャラクタ等が印刷されているため、消費者は、この商品の購買意欲を促進させることができる。
【００２３】
また、キャップＣを、シート体１２の分離部２２を介して把持して、螺退方向に回転させて外すと、脆弱部２０が破断（切断）されて、分離部２２をボトルＢから離間させる。このとき、残留部２４は、ボトルＢに固定されているため、移動することがない。なお、キャップＣを螺退させる前に、予め脆弱部２０の端部に切り込みを手で入れておくと、キャップＣの取り外し時に、容易に脆弱部２０を切断することができる。
【００２４】
本実施形態では、下記の特徴を有する。
（１）  本実施形態の促進具１０は、可撓性または弾性を有するシート体１２により構成されている。シート体１２の下端には、ボトルの首部の口に装着されたキャップ及び前記首部に対して嵌合して装着される嵌合部１８を備えている。また、シート体１２の表面及び裏面のうち少なくともいずれか一方の面を広告記録またはキャラクタが記述される面としている。この結果、本実施形態によれば、ボトルの運搬時に分離部２２が下方に向かって押さえられた際、嵌合部１８よりも上方に位置する上位の部位が折り曲げることができる。このため、搬送コストがボトル用販売促進具を装着しないボトルと同等にすることができるとともに、店頭での載置スペースがボトル用販売促進具を装着しないボトルと同等の載置スペースで行うことができる。
【００２５】
（２）  本実施形態の促進具１０では、嵌合部１８が、キャップＣを覆うように筒状に形成されている。この結果、本実施形態の促進具１０によれば、キャップＣを覆った状態にすることができる。この結果、シート体を破らなければ、キャップを開けることができない構造とすることができ、いたずら等を抑制することができる。
【００２６】
（３）  本実施形態の促進具１０のシート体１２は、分離部２２と残留部２４が脆弱部２０を介して上下に配置され、脆弱部２０が嵌合部１８のキャップＣ及びボトルＢの首部Ｂａと嵌合する方向とは直交する方向に形成されている。そして、脆弱部２０は、ボトルＢの首部ＢａからキャップＣが外される際に、破断可能に形成されている。この結果、キャップを開ける際に、脆弱部２０が破断（切断）されて、分離部２２をボトルＢから離間させることができる。
【００２７】
（４）  本実施形態の促進具１０は、シート体１２が、シュリンクフィルムにより形成されている。この結果、本実施形態によれば、シート体１２をボトルＢの首部Ｂａに対して熱収縮させて固定することもできる。
【００２８】
なお、本考案は前記実施形態に限定されるものではなく、下記のように変更しても良い。
・  前記実施形態において、本実施形態の促進具１０のシート体１２の少なくとも一方の面にキャラクタが記述されている場合は、シート体１２の周縁部はキャラクタの外形形状に沿って形成してもよい。図４は、キャラクタの一例として、動物がシート体１２の表面に印刷された場合を示している。同図に示すように、シート体１２の周縁部は、キャラクタの外形に合わせて形成されている。
【００２９】
・  前記シート体をシュリンクフィルムに代えて、熱収縮しない合成樹脂フィルム、或いは合成樹脂シートにより形成してもよい。
・  前記シート体を、紙製としてもよい。
【００３０】
・  脆弱部をシート体１２の下端から上方へ向かって形成してもよい。例えば、脆弱部としてのミシン目を形成してもよい。この場合は、ミシン目が破断されると、シート体全体がボトルから除去することができる。
【符号の説明】
【００３１】
Ｂ…ボトル、Ｂａ…首部、１０…ボトル用販売促進具、１２…シート体、
１２ａ…表面、１２ｂ…裏面、１４…シート、１６ａ〜１６ｄ…コーナー、
１８…嵌合部、２０…脆弱部、２２…分離部、２４…残留部。
【図１】
0003186442.tif 000003
【図２】
0003186442.tif 000004
【図３】
0003186442.tif 000005
【図４】
0003186442.tif 000006